(57)【特許請求の範囲】
【請求項１】
取付部に形成した凹部内にハンドルを収納すると共に、該ハンドルを引き出して回転操作するハンドル操作機構において、前記取付部の表面に対して垂直な第１の軸を中心に回動自在に前記取付部に支持する回転部材と、該回転部材に対し前記第１の軸方向に平行移動すると共に、前記第１の軸を中心に前記回転部材と一体となって回動するように支持する可動部材と、該可動部材に支持し、前記第１の軸に対して垂直且つ前記取付部の表面に対して平行な第２の軸を中心に、基端部を回動自在に支持するハンドルとを備え、該ハンドルの基端部の先端側方に、前記第２の軸と平行な軸方向に延出するガイドピンを設けると共に、前記回転部材に、前記ハンドルが前記第２の軸を中心に回動するときに前記ガイドピンを所定の軌跡に沿って案内するガイド溝を形成し、前記ハンドルの前記第２の軸を中心とした回動に応じて前記可動部材が前記第１の軸方向に平行移動するように前記軌跡を設定することを特徴とするハンドル操作機構。
【請求項２】
窓枠を有する壁面に固定するハウジングと、該ハウジングに支持しワイヤを巻き取る巻取機構と、該巻取機構に係合して前記ワイヤの巻取状態を保持し、又は前記巻取機構との係合を解除するラチェット機構と、該ラチェット機構による前記巻取機構との係合状態を解除する解除機構とを備え、前記窓枠に回動自在に支持し開放方向に付勢する窓に前記ワイヤの一端を連結し、前記ワイヤの他端側を前記巻取機構に巻き取って保持し前記窓を閉状態にすると共に、前記解除機構を操作して前記ワイヤの保持を解除したときには、前記窓を開状態とする窓開閉操作装置において、前記ハウジングに凹部を形成し、該凹部にハンドルを収納するハンドル操作機構であって、前記ハウジングの表面に対して垂直な第１の軸を中心に回動自在に前記ハウジングに支持する回転部材と、該回転部材に対し前記第１の軸方向に平行移動すると共に、前記第１の軸を中心に前記回転部材と一体となって回動するように支持する可動部材と、該可動部材に支持し、前記第１の軸に対して垂直且つ前記ハウジングの表面に対して平行な第２の軸を中心に、基端部を回動自在に支持するハンドルとを備え、該ハンドルの基端部の先端側方に、前記第２の軸と平行な軸方向に延出するガイドピンを設けると共に、前記回転部材に、前記ハンドルが前記第２の軸を中心に回動するときに前記ガイドピンを所定の軌跡に沿って案内するガイド溝を形成し、前記ハンドルの前記第２の軸を中心とした回動に応じて前記可動部材が前記第１の軸方向に平行移動するように前記軌跡を設定するハンドル操作機構を備え、前記可動部材の前記第１の軸方向の平行移動とは無関係に前記可動部材の回転力を伝達する連結部材を介して、前記可動部材を前記巻取機構に連結し、前記ハンドルの回動操作に応じて前記巻取機構を駆動し得るように構成したことを特徴とする窓開閉操作装置。
【発明の詳細な説明】
【０００１】
【産業上の利用分野】
本発明は、取付部に形成した凹部内にハンドルを収納すると共に、このハンドルを引き出して回転操作するハンドル操作機構に係る。
【０００２】
また、本発明は、上記ハンドル操作機構を備えた窓開閉操作装置に関し、特に、開放方向に付勢された窓にワイヤを連結し、このワイヤを前記ハンドルの回転操作によって巻き取って窓を閉状態とすると共に、ワイヤの保持を解除することにより直ちに窓を開状態とする窓開閉操作装置に係る。
【０００３】
【従来の技術】
従来より、建物の高所に配設される排煙窓等を開閉操作する装置として、窓に一端を連結したワイヤを巻き取って保持することにより閉状態とすると共に、ワイヤの保持を解除したときには窓の自重及び／又は開放機構の付勢力によって直ちに開状態とする窓開閉操作装置が知られている。この種の窓開閉操作装置は、窓に一端を連結したワイヤを巻き取る巻取手段と、巻き取った状態を保持し、窓を開放する際にはこれを解除する保持／解除手段を備えている。一般的には、巻取手段として巻取機構とハンドル操作機構をクラッチ機構を介して連結した機構が用いられ、保持／解除手段としてラチェット機構と押ボタン式の解除機構を組み合せた機構が用いられている。更に、特開平７−１１３３７０号公報には閉窓時における巻取ドラムの減速機能と、開窓時において巻取ドラムと入力軸との駆動連結を外すクラッチ機能を遊星歯車機構１つで賄うようにした高窓の開閉操作装置が開示されている。
【０００４】
そして、ハンドル操作機構に関し、例えば実公平６−１３９８３号公報には、ハンドルを箱体内に収納し得るようにした装置が提案されている。即ち、同公報においては、開放付勢された窓に連結したワイヤを箱体内に収容したドラムに巻き取ってドラムラッチ部材でドラムをラッチすることにより窓を閉塞状態に保持し、ラッチ解除部材の作動によりラッチを解除して窓を開放するようにするとともに、ドラムの箱体の前面側に突出した入力軸に、そのドラムを回転操作するハンドルを折り畳み自由に軸支して、箱体の前面に被着した蓋体にそのハンドルを収納する収納溝を形成し、常にはハンドルをハンドル係止部材により箱体内に装着した突出付勢用のばねの弾力に抗して収納溝内に保持するようにし、箱体の前面に、ハンドル係止部材に係合してハンドルの係止を解除する操作部材を装着して、その操作部材にドラムのラッチ解除部材を作動させる作動部材を一体移動可能に連結し、操作部材の操作により、ドラムのラッチの解除と、ハンドルの収納溝からの突出を同時に行う構成とした排煙窓の開閉操作ボックスが提案されている。
【０００５】
【発明が解決しようとする課題】
上記実公平６−１３９８３号公報に記載の操作ボックスにおいては、ハンドルは蓋体の収納溝に収納されるように構成されており、良好な外観となる。このハンドルは、同公報第５図に開示されているように、支持体及び連結具が設けられると共に、一対のピンと長溝を介して折り畳み可能とされている。そして、ハンドルが引き出される場合には、連結部が支持台に対して回転しつつ摺動すると共に、連結部に対してハンドルが回転することになる。従って、折り畳み機構が複雑であるというだけでなく、組付、調整が困難である。また、ハンドルを回転操作するときの回転中心の軸と、ハンドルと支持台を連結する連結部の軸とがオフセットすることになるので、所定の強度を確保するための設計も困難である。
【０００６】
そこで、本発明は、取付部に形成した凹部内にハンドルを収納可能とするハンドル操作機構において、簡単な構造で円滑にハンドルを収納し得ると共に、円滑且つ確実に回転操作を行ない得るようにすることを目的とする。
【０００７】
また、本発明は、ハウジングに形成した凹部内に、ハンドルを円滑に収納可能とするハンドル操作機構を具備し、円滑且つ確実にハンドルを操作し得る窓開閉操作装置を提供することを目的とする。
【０００８】
【課題を解決するための手段】
上記の目的を達成するため、本発明のハンドル操作機構は請求項１に記載のように、取付部に形成した凹部内にハンドルを収納すると共に、該ハンドルを引き出して回転操作するハンドル操作機構において、前記取付部の表面に対して垂直な第１の軸を中心に回動自在に前記取付部に支持する回転部材と、該回転部材に対し前記第１の軸方向に平行移動すると共に、前記第１の軸を中心に前記回転部材と一体となって回動するように支持する可動部材と、該可動部材に支持し、前記第１の軸に対して垂直且つ前記取付部の表面に対して平行な第２の軸を中心に、基端部を回動自在に支持するハンドルとを備え、該ハンドルの基端部の先端側方に、前記第２の軸と平行な軸方向に延出するガイドピンを設けると共に、前記回転部材に、前記ハンドルが前記第２の軸を中心に回動するときに前記ガイドピンを所定の軌跡に沿って案内するガイド溝を形成し、前記ハンドルの前記第２の軸を中心とした回動に応じて前記可動部材が前記第１の軸方向に平行移動するように前記軌跡を設定することとしたものである。
【０００９】
また、本発明の窓開閉操作装置は、請求項２に記載のように、窓枠を有する壁面に固定するハウジングと、該ハウジングに支持しワイヤを巻き取る巻取機構と、該巻取機構に係合して前記ワイヤの巻取状態を保持し、又は前記巻取機構との係合を解除するラチェット機構と、該ラチェット機構による前記巻取機構との係合状態を解除する解除機構とを備え、前記窓枠に回動自在に支持し開放方向に付勢する窓に前記ワイヤの一端を連結し、前記ワイヤの他端側を前記巻取機構に巻き取って保持し前記窓を閉状態にすると共に、前記解除機構を操作して前記ワイヤの保持を解除したときには、前記窓を開状態とする窓開閉操作装置において、前記ハウジングに凹部を形成し、該凹部にハンドルを収納するハンドル操作機構であって、前記ハウジングの表面に対して垂直な第１の軸を中心に回動自在に前記ハウジングに支持する回転部材と、該回転部材に対し前記第１の軸方向に平行移動すると共に、前記第１の軸を中心に前記回転部材と一体となって回動するように支持する可動部材と、該可動部材に支持し、前記第１の軸に対して垂直且つ前記ハウジングの表面に対して平行な第２の軸を中心に、基端部を回動自在に支持するハンドルとを備え、該ハンドルの基端部の先端側方に、前記第２の軸と平行な軸方向に延出するガイドピンを設けると共に、前記回転部材に、前記ハンドルが前記第２の軸を中心に回動するときに前記ガイドピンを所定の軌跡に沿って案内するガイド溝を形成し、前記ハンドルの前記第２の軸を中心とした回動に応じて前記可動部材が前記第１の軸方向に平行移動するように前記軌跡を設定するハンドル操作機構を備え、前記可動部材の前記第１の軸方向の平行移動とは無関係に前記可動部材の回転力を伝達する連結部材を介して、前記可動部材を前記巻取機構に連結し、前記ハンドルの回動操作に応じて前記巻取機構を駆動し得るように構成したものである。尚、連結部材は、例えば断面多角形の連結軸と、この連結軸を嵌合する同断面の連結孔によって構成することができる。
【００１０】
【作用】
上記の構成になる請求項１に係るハンドル操作機構においては、先ず、取付部に支持された回転部材に、被操作部材が連結される。そして、ハンドルを第２の軸を中心に取付部方向に回動すると、ハンドルのガイドピンが回転部材のガイド溝の軌跡に沿って移動し、ハンドルが支持された可動部材は第１の軸方向に平行移動する。従って、可動部材が取付部の凹部内の所定の位置に収容されるように前記軌跡を設定しておけば、ハンドルを取付部の表面と同一面となるまで移動することができる。一方、この状態から、ハンドルの先端部を引き出すと、ハンドルは基端部の第２の軸を中心に回動すると共に、ガイドピンがガイド溝の軌跡に沿って移動するに伴い、可動部材が第１の軸方向に平行移動する。従って、前記軌跡を更に、可動部材が取付部の表面上に突出するように設定しておけば、ハンドルを取付部の表面の外側で、表面に平行な状態とすることができる。而して、ハンドルを第１の軸を中心に回転操作すると、これと共に可動部材及び回転部材が第１の軸を中心に回転し、回転部材に連結された被操作部材が回転駆動される。ハンドルの回転操作後は、前述と同様にハンドルの先端部を取付部方向に押圧すれば、第２の軸を中心とするハンドルの回動に応じて可動部材が取付部方向に移動し、ハンドルが取付部の表面と同一面となる位置まで戻される。
【００１１】
また、請求項２に係る窓開閉操作装置においては、ワイヤが巻取機構に巻き取られた状態にあって、巻取機構がラチェット機構と係合しておれば窓は閉塞されている。このとき、例えば窓の自重及び窓を開放する方向に付勢する開放機構の付勢力の少くとも一方によって、窓は開放方向に付勢された状態で拘束されている。また、ハンドル操作機構のハンドルはハウジングの凹部内に収納された状態にある。而して、窓を開放する必要が生じたときには、解除機構を操作すれば、ラチェット機構による巻取機構との係合状態が解除されるので、窓の拘束が解かれ、上記の自重及び付勢力によって窓が瞬時に開放される。
【００１２】
そして、窓を閉塞する場合には、ハンドルを引き出して第２の軸を中心に回動すると、可動部材は第１の軸方向に平行移動するが、巻取機構とは連結部材を介して連結状態が維持される。而して、ハンドルを回転操作すれば、巻取機構が回転駆動され、ワイヤが巻き取られるので、窓が閉状態となる。この後、ハンドルの先端部をハウジング方向に押圧すれば、第２の軸を中心とするハンドルの回動に応じて可動部材がハウジングの方向に移動し、ハンドルはハウジングの表面と同一面となるまで戻される。
【００１３】
【実施例】
以下、本発明の実施例を図面を参照して説明する。
図１乃至図１２は本発明のハンドル操作機構の一実施例を示すもので、図１乃至図３はハンドル７０が取付部のハウジング１０から引き出された操作状態を示し、図４乃至図６はハンドル７０がハウジング１０に収納された状態を示す。図６に明らかなように、ハンドル７０はハウジング１０の凹部１１内に収納されると、ハウジング１０の表面と略同一面となるように支持されている。
【００１４】
先ず、ハウジング１０内に組み付けられる支持部分を説明すると、回転部材５０が、ハウジング１０の表面に対して垂直な第１の軸を中心に回動自在に支持されている。この回転部材５０は例えば図８に示すように略矩形の凹部を有する筒状の本体５１と、左右対称に形成された柱状の一対の接合体５２，５２の三つの部品から成り、これらが接合されて円柱状の外形を呈するように構成されている。各々の接合体５２にはガイド溝５３が形成されており、本体５１の開口端面の一部５１ａは各ガイド溝５３に沿った形状に形成されている。
【００１５】
回転部材５０の本体５１内には略矩形断面の柱体の可動部材６０が摺動自在に収容され、上記第１の軸方向に平行移動可能に支持されている。即ち、可動部材６０は回転部材５０に対して摺動し得るが、回転は規制され、第１の軸を中心として回転部材５０と一体となって回転する。そして、図３、図６及び図９に示すように、可動部材６０の一端には、第１の軸に対して垂直且つハウジング１０の表面に平行な第２の軸を構成するシャフト７５を中心に、ハンドル７０の基端部が回動可能に支持されている。そして、回転部材５０のガイド溝５３の軌跡は、ハンドル７０の第２の軸を中心とした回動に応じて可動部材６０が第１の軸方向に平行移動するように設定されている。
【００１６】
ハンドル７０は図１、図４、図７及び図９に示すように、レバー７１の基端部に切欠部７２が設けられており、レバー７１の基端部の両側から、上記第２の軸と平行な軸方向にガイドピン７３，７３が一体的に延出形成されている。また、レバー７１の先端部には、回転操作時に第１の軸と平行となる軸を中心にノブ７４が回動自在に支持されている。そして、レバー７１の切欠部７２内に可動部材６０が収容される形で組み付けられ、前述の第２の軸を構成するシャフト７５によって両者間が回動自在に連結されている。
【００１７】
例えば、ハンドル７０が図１の状態から図９の状態に戻されると、ガイドピン７３がガイド溝５３に嵌入し、これ以降図４の状態となるまでガイドピン７３がガイド溝５３に案内されて所定の軌跡に沿って移動し得るように構成されている。即ち、ハンドル７０を収納するためのシャフト７５を中心とした回動に応じて、可動部材６０が回転部材５０内に収容される方向に平行移動する。
【００１８】
上記の構成になるハンドル操作機構において、ハンドル７０がハウジング１０内に収納されると図１０に示す状態にあり、この状態からノブ７４側が引き出されると、ガイドピン７３がガイド溝５３に案内され、図１１に示すように可動部材６０が第１の軸方向に平行移動、即ち回転部材５０から突出する方向へ移動し乍ら、レバー７１がシャフト７５を軸に回動する。
【００１９】
更に、ハンドル７０が回転操作され、図１２に示すように略１８０°回転すると、ガイドピン７３はガイド溝５３から離脱し、可動部材６０が回転部材５０から突出した状態となる。即ち、図１０の状態から図１２の状態となるまでに、ガイドピン７３はシャフト７５を中心に略１８０°回転し、シャフト７５は第１の軸（ハウジング１０の表面に垂直な回転部材５０の回転軸）に平行な軸上を所定距離移動することになる。而して、図１２の状態では、ハンドル７０のノブ７４を回転させれば、レバー７１は可動部材６０及び回転部材５０と共に、第１の軸を中心に回動する。
【００２０】
上記のハンドル操作機構は窓開閉操作装置に好適であり、後者の実施例について図１３及び図１４を参照して説明する。先ず、図１４は建物の高所に配設され、排煙窓等に供される窓を示すもので、その下方に本発明の一実施例のハンドル操作機構を備えた操作ボックス７が装着されている。図１４の窓は周知の構造で、窓枠１に対し、窓２がその下方で回動自在に支持され、窓２の開放時には上部が外側に突出するように配設される。窓２は開放機構３を介して窓枠１に支持され、窓２が開放する方向に付勢されている。一方、窓枠１及び窓２の上部には夫々滑車４，５が固着されており、これらの滑車４，５を介してワイヤ６が張設されている。
【００２１】
ワイヤ６の一端は、窓枠１の一方の側端部（図１４の右側）で固定され、他端は窓枠１の他方の側端部（図１４の左側）の下方に配置された操作ボックス７に接続されている。而して、操作ボックス７に設けられたハンドル７０を引き出して回転操作することにより、ワイヤ６が操作ボックス７内に巻き取られ、窓２が所定の開度もしくは閉塞状態となる。一方、窓２が閉塞された状態にあるときに押釦９０が押圧されると、ワイヤ６の拘束が解かれ、窓２はその自重及び開放機構３の付勢力によって直ちに開放される。尚、詳細については後述する。
【００２２】
操作ボックス７は図１３に示すように構成されており、操作ボックス７のハウジングは箱体８及び蓋体９から成り、両者間に構成部品が収容された状態で前述の図１４に示すように壁面（図示せず）に埋設、固定された後、ワイヤ６（図１３では省略）が配索される。蓋体９は図１乃至図１２に示した実施例におけるハウジング１０に相当し、ハンドル７０は収納時に蓋体９の表面と同一面となるように配置される。箱体８には巻取機構２０が固定されると共に、これに遊星歯車機構３０が連結されており、特開平７−１１３３７０号公報に開示された機構と同様に構成されている。
【００２３】
巻取機構２０においては、回転軸２１を中心にドラム２２が回動自在に支持され、このドラム２２にワイヤ６が巻き取られる。回転軸２１の一端側には連結孔２３が穿設されており、この連結孔２３に対し、可動部材６０に一端が固定された断面六角形の連結軸４０が摺動自在に嵌合されている。従って、この連結軸４０を介して回転軸２１が可動部材６０と一体回転可能に連結されている。回転軸２１の他端側には、遊星歯車機構３０の一部を構成する太陽歯車（図示省略）が形成されている。
【００２４】
ドラム２２にはラチェットホイール３１が一体回転可能に接合され、これに平行にラチェットホイール３２が配置され自由に回転可能に支持されている。ラチェットホイール３１には内歯歯車（図示省略）が形成され、ラチェットホイール３２には３個の遊星歯車（図示省略）が軸支されており、これらが回転軸２１の太陽歯車及びラチェットホイール３１の内歯歯車と噛合するように配置されている。尚、図１３には表れていないが、ロックレバーとロック爪から成るロック機構（図示省略）が配設されており、ラチェットホイール３１，３２に対してロック爪が係合するように付勢されている。而して、遊星歯車機構３０並びにラチェットホイール３１，３２及びロック機構（図示省略）によって本発明にいうラチェット機構が構成され、ドラム２２が一方の回転方向（巻取方向）に規制されるように構成されている。
【００２５】
また、ドラム２２には遠心ブレーキ機構２４が歯車（図示省略）を介して連結されている。この遠心ブレーキ機構２４は、ドラム２２の回転が加速されるのに伴い、これと連動して回転するウェイト２４ａが外方に移動し、その外周面がブレーキシュー２４ｂの内周面に当接すると、その摩擦抵抗が制動力となってドラム２２が減速され、適切な速度となるように構成されている。
【００２６】
更に、ラチェットホイール３１，３２に対するロック機構（図示省略）の係合状態を強制的に解除する解除機構８０が設けられている。この解除機構８０は、押釦９０が押圧されたときに、これと連動してロック機構のラチェットホイール３１，３２との係合状態を解除するように構成されている。また、押釦９０が押圧されたときには、鉤部９１が連動してノブ７４との係合も解除されるように構成されている。
【００２７】
一方、箱体８にはハンドル７０のレバー７１に対し、外方に付勢する板ばね７６が設けられており、蓋体９の面と同一面上にレバー７１が位置した状態で鉤部９１と係合し、鉤部９１との係合が解かれると、板ばね７６の付勢力によってレバー７１の先端部が外方に突出するように構成されている。従って、操作ボックス７が図１４のように配置される場合には、ハンドル７０の上部が手前に突出する状態となるので、ハンドル７０を引き出し容易に操作位置に移動することができる。尚、板ばね７６に代えてコイルスプリングを設けることとしてもよい。
【００２８】
上記の構成になる操作ボックス７においては、ワイヤ６がドラム２２に巻き取られた状態にあれば、窓２は閉塞されており、ハンドル７０は収納状態とされている。煙が発生し、これを排出する必要が生じたときには押釦９０を押圧すればロック機構（図示省略）とラチェットホイール３１，３２の係合が解除され、ドラム２２が自由に回転し得る状態となる。即ち、このときのドラム２２に対する回転力は遊星歯車機構３０を介して回転軸２１に伝達されることはない。而して、巻取ドラム２２に巻回されたワイヤ６は、窓２の自重及び開放機構３の付勢力により一挙に繰り出され、窓２は瞬時に開放される。尚、上記の繰出作動の速度は巻取機構２０の遠心ブレーキ機構２４によって適切に調整される。
【００２９】
上記の状態から窓２を閉塞する場合には、押釦９０の操作によりハンドル７０の先端部が突出した状態にあるので、ハンドル７０を引き出して図１乃至図３に示す状態とすれば、遊星歯車機構３０によって可動部材６０及び回転部材５０とドラム２２が一体となって回動し得る状態となる。而して、ハンドル７０を回転軸２１（第１の回転軸に相当）を中心に回転操作することにより遊星歯車機構３０を介してドラム２２が回転し、このドラム２２にワイヤ６が巻き取られ、窓２が閉塞されるところとなる。この後、ハンドル７０の回転を停止し箱体８内に収納しても、ラチェットホイール３１，３２がロック機構（図示省略）に係止されドラム２２の回転が阻止されるように構成されているので、ワイヤ６が繰り出されることはない。そして、ハンドル７０のノブ７４を鉤部９１に係止させれば蓋体９の表面と面一の状態となる。
【００３０】
【発明の効果】
本発明は上述のように構成されているので以下の効果を奏する。
即ち、請求項１に係るハンドル操作機構は、ハンドルの基端部の先端側方に、第２の軸と平行な軸方向に延出するガイドピンを設けると共に、回転部材に、ハンドルが第２の軸を中心に回動するときにガイドピンを所定の軌跡に沿って案内するガイド溝を形成し、ハンドルの第２の軸を中心とした回動に応じて可動部材が第１の軸方向に平行移動するように軌跡を設定するように構成されているので、ハンドルを円滑に取付部の凹部内に収納することができると共に、ハンドル操作時には第１の軸を中心に円滑且つ確実に回転操作することができ、良好な耐久性が得られる。
【００３１】
また、本発明の窓開閉操作装置は、上記ハンドル操作機構を備え、連結部材を介して可動部材を巻取機構に連結するように構成されているので、ハウジングの凹部内に円滑にハンドルを収納することができ、円滑且つ確実に回転操作することができる。従って、外観を損なうことなく、耐久性に優れた窓開閉操作装置を提供することができる。
【図面の簡単な説明】
【図１】本発明のハンドル操作機構の一実施例においてハンドルを引き出した状態を示す斜視図である。
【図２】本発明のハンドル操作機構の一実施例においてハンドルを引き出した状態の一部を示す平面図である。
【図３】本発明のハンドル操作機構の一実施例においてハンドルを引き出した状態の一部を示す部分断面側面図である。
【図４】本発明のハンドル操作機構の一実施例においてハンドルを収納した状態を示す斜視図である。
【図５】本発明のハンドル操作機構の一実施例においてハンドルを収納した状態の一部を示す平面図である。
【図６】本発明のハンドル操作機構の一実施例においてハンドルを収納した状態の一部を示す部分断面側面図である。
【図７】本発明のハンドル操作機構の一実施例におけるハンドルの基端部を示す斜視図である。
【図８】本発明のハンドル操作機構の一実施例における回転部材の分解斜視図である。
【図９】本発明のハンドル操作機構の一実施例においてハンドルを引き出す過程の状態を示す斜視図である。
【図１０】本発明のハンドル操作機構の一実施例においてハンドルを収納した状態を示す部分断面側面図である。
【図１１】本発明のハンドル操作機構の一実施例においてハンドルを引き出す過程を示す部分断面側面図である。
【図１２】本発明のハンドル操作機構の一実施例においてハンドルを引き出した状態を示す部分断面側面図である。
【図１３】本発明の一実施例に係る窓開閉操作装置の断面図である。
【図１４】本発明の一実施例に係る窓開閉操作装置を窓枠の下方に取付けた状態を示す斜視図である。
【符号の説明】
１  窓枠，    ２  窓，    ３  開放機構
６  ワイヤ
７  操作ボックス
１０  ハウジング
２０  巻取機構
２１  回転軸
２２  巻取ドラム
２４  遠心ブレーキ機構
３０  遊星歯車機構
３１，３２  ラチェットホイール
４０  連結軸
５０  回転部材
５３  ガイド溝
６０  可動部材
７０  ハンドル
７１  レバー，    ７３  ガイドピン，    ７４  ノブ
８０  解除機構
９０  押釦
９１  鉤部
【図１】
0003634900.tif 000002
【図２】
0003634900.tif 000003
【図３】
0003634900.tif 000004
【図４】
0003634900.tif 000005
【図５】
0003634900.tif 000006
【図６】
0003634900.tif 000007
【図７】
0003634900.tif 000008
【図８】
0003634900.tif 000009
【図９】
0003634900.tif 000010
【図１０】
0003634900.tif 000011
【図１１】
0003634900.tif 000012
【図１２】
0003634900.tif 000013
【図１３】
0003634900.tif 000014
【図１４】
0003634900.tif 000015